(57)【要約】【課題】  混合、反応容器から水蒸気が大量に発生する場合や長い搬送経路を有する場合のように搬送中の粉体に水蒸気等の外的因子の影響を受け易い状況下でも、粉体を円滑かつ確実に搬送、供給する粉体搬送装置の提供。【解決手段】  一端に粉体投入部が接続された粉体搬送経路を有し、該粉体投入部より投入された粉体を該粉体搬送経路に沿って搬送する粉体搬送装置において、該粉体搬送経路に気体透過部材を有し、該粉体搬送経路内に該気体透過部材を透過した気体により気流を形成することを特徴とする粉体搬送装置。【選択図】        図１
2007084203.tif 000002
【特許請求の範囲】
【請求項１】
一端に粉体投入部が接続された粉体搬送経路を有し、該粉体投入部より投入された粉体を該粉体搬送経路に沿って搬送する粉体搬送装置において、
該粉体搬送経路に気体透過部材を有し、該粉体搬送経路内に該気体透過部材を透過した気体により気流を形成することを特徴とする粉体搬送装置。
【請求項２】
前記粉体搬送経路の上方に期待吹き込み手段を有し、
該期待吹き込み手段は、該粉体搬送経路の上方に設けられた粉体搬送経路に対して斜めの方向から気体を吹き込むものであり、該気体吹き込み手段により吹き込まれた気体が、上方に設けられた該粉体搬送経路の壁面にそって移動することを特徴とする請求項１に記載の粉体搬送装置。
【請求項３】
前記粉体搬送装置が、トナー製造装置に粉体を搬送するものであることを特徴とする請求項１または２に記載の粉体搬送装置。
【発明の詳細な説明】
【技術分野】
【０００１】
本発明は、粉体搬送装置に関する。
【背景技術】
【０００２】
液体と粉体とを混合、或いは反応処理する混合容器や反応容器には、外部に設けられたホッパーから粉体を投入、搬送させる粉体搬送装置が通常設けられている。このような粉体搬送装置は、混合容器や反応容器よりも上方に配置され、容器内部を減圧して吸引させたり、重力による自然落下を利用することで、容器内部への粉体供給を行っている。
【０００３】
ところで、粉体搬送装置は容器内への粉体供給を正確かつ迅速に行う必要性から、搬送経路内壁に粉体が付着したり、経路内で詰まったりしないようにする対応が求められている。また、供給する粉体を変更することもあり、搬送経路に変更前の粉体が残存しないように清掃が容易に行えるようにするといった対応も求められる。このように、粉体搬送装置にはどのような使用条件でも、粉体を正確かつ迅速に供給することが求められている。
【０００４】
また、混合容器や反応容器からの水蒸気の影響により、円滑な粉体供給が阻害されるケースもある。すなわち、冷却した水蒸気からの水滴が搬送経路に付着し、ぬれた搬送経路に粉体が付着して、安定した粉体供給を阻害するのである。この問題に対し、搬送経路内に気体を吹き込むことにより、搬送経路の壁面に粉体を接触させないようにした技術が提案された（例えば、特許文献１参照。）。
【特許文献１】実開平５−７３４２号公報
【発明の開示】
【発明が解決しようとする課題】
【０００５】
しかしながら、ホッパーと混合、反応容器間の搬送経路が長い場合や、容器より発生する水蒸気量が多い場合は、前述した特許文献１に開示された技術でも粉体の搬送を円滑に行うことができなかった。
【０００６】
本発明は、混合、反応容器から水蒸気が大量に発生する場合や長い搬送経路を有する場合のように搬送中の粉体に水蒸気等の外的因子の影響を受け易い状況下でも、粉体を円滑かつ確実に搬送、供給する粉体搬送装置を提供することを目的とする。
【課題を解決するための手段】
【０００７】
本発明は、下記構成を採ることにより達成される。
【０００８】
（１）
一端に粉体投入部が接続された粉体搬送経路を有し、該粉体投入部より投入された粉体を該粉体搬送経路に沿って搬送する粉体搬送装置において、
該粉体搬送経路に気体透過部材を有し、該粉体搬送経路内に該気体透過部材を透過した気体により気流を形成することを特徴とする粉体搬送装置。
【０００９】
（２）
前記粉体搬送経路の上方に期待吹き込み手段を有し、
該期待吹き込み手段は、該粉体搬送経路の上方に設けられた粉体搬送経路に対して斜めの方向から気体を吹き込むものであり、該気体吹き込み手段により吹き込まれた気体が、上方に設けられた該粉体搬送経路の壁面にそって移動することを特徴とする前記（１）に記載の粉体搬送装置。
【００１０】
（３）
前記粉体搬送装置が、トナー製造装置に粉体を搬送するものであることを特徴とする前記（１）または（２）に記載の粉体搬送装置。
【発明の効果】
【００１１】
本発明によれば、混合、反応容器から水蒸気が大量に発生する場合や長い搬送経路を有する場合のように搬送中の粉体に水蒸気等の外的因子の影響がおよびやすい搬送条件下でも、粉体を円滑かつ確実に搬送、供給することを可能にした。
【００１２】
すなわち、気体透過部材を透過して搬送経路に供給された気体が壁面に沿ってバリアを形成し、冷却した水蒸気からの水滴を搬送経路壁面に付着させないようにした。その結果、搬送経路の壁に粉体が溶着したり、また、溶着物により搬送経路が塞がれるような問題が起きなくなり、ホッパーより供給される粉体を混合、反応容器内にばらつきなく正確に供給することができるようになった。
【発明を実施するための最良の形態】
【００１３】
本発明者等は、粉体搬送装置内に気体吹き込み手段を設け、気体吹き込み手段からの吹き出した気流により、粉体と粉体搬送経路内壁との間に気流によるバリアを形成し、粉体搬送経路の内壁と粉体とを接触させなくすることで、上記問題が解決できることを見出した。
【００１４】
本発明の粉体搬送装置は、秤量した粉体を粉体搬送経路内壁に付着や固着させることないので全量正確に投入でき、粉体の種類を切り替えるときに清掃が容易で粉体の混入（コンタミネーション）を防止できることを見出した。
【００１５】
また、本発明の粉体搬送装置は、変質しやすい粉体、例えば、吸湿性、潮解性、膨潤性のある塩、医薬品の搬送、流動性や搬送性の悪い粉体に好適に用いることができる。
【００１６】
以下、本発明を詳細に説明する。
【００１７】
図１は、本発明の粉体搬送装置の一例を示す概略図である。
【００１８】
図１において、２は粉体搬送装置、８は粉体搬送経路、１３は気体透過部材、１６は気流を示す。
【００１９】
粉体搬送装置２は、粉体搬送経路８に気体透過部材１３を設け、該気体透過部材から気体を湧き出し気流１６を形成させる装置である。
【００２０】
気体透過部材に気体を供給することにより、該気体により粉体搬送経路と粉体との間に気流によるバリアが形成される。
【００２１】
気体透過部材としては、透過孔を有するものであれば特に限定されないが、具体的にはスクリーン、パンチングメタル、透過孔を有するセラミック、不織布、紙、焼結金属等を挙げることができる。
【００２２】
図２は、本発明の粉体搬送装置を用いて粉体供給ホッパーから粉体を容器に投入するラインの一例を示す概略図である。
【００２３】
図２において、１は粉体供給ホッパー、２は粉体搬送装置、４は容器、５は気体発生装置、６は粉体供給部のゲート、７は容器部のゲート、８は粉体搬送経路、９は粉体等入部、１０は揮発分排出及び回収口、１１は粉体、１２は液体、１３はベーパー、１４は揮発分回収装置示す。
【００２４】
粉体供給ホッパー１中の粉体１１は、粉体搬送装置２に接続された粉体供給部ゲート６と容器部のゲート７を開くことにより粉体搬送経路８に導入される。
【００２５】
粉体搬送経路８では、気体発生装置５から気体透過部材２１に供給された気体により、粉体搬送経路８の内壁と粉体との間に気流によるバリアが形成される。
【００２６】
気流によるバリアで、粉体１１は粉体搬送経路８の内壁に接触することなく容器４へ投入される。
【００２７】
粉体保管ホッパー１中の粉体１１が無くなった時点で粉体供給部ゲート６と容器部ゲート７を閉じ、搬送を終了する。
【００２８】
尚、容器中の液体１２は、投入される粉体を良好に溶解するため外部加熱装置により加熱、撹拌装置により撹拌されていてもよい。
【００２９】
加熱、撹拌により発生したベーパー１３は、揮発分回収装置１４により回収され、容器４に戻される。
【００３０】
本発明では、図１に示す本発明の粉体搬送装置のみでも良いが、本発明の粉体搬送装置の上段に図４で示す粉体搬送装置（ａ）或いは（ｂ）を設置する多段式の粉体搬送装置が、粉体搬送距離が長くても、或いは粉体粉体の詰まりや粉体付着を起こしやすい粉体でも良好に搬送できより好ましい。
【００３１】
図３は、多段式の粉体搬送装置を用いた粉体供給ホッパーから粉体を容器に投入するラインの一例を示す概略図である。
【００３２】
図３において、１は粉体供給ホッパー、２は粉体搬送装置、３は粉体搬送装置（ａ）、４は容器、５は気体発生装置、６は粉体供給部のゲート、７は容器部のゲート、８は粉体搬送経路、９は粉体等入部、１０は揮発分排出及び回収口、１１は粉体、１２は液体、１３はベーパー、１４は揮発分回収装置を示す。
【００３３】
粉体供給ホッパー１中の粉体１１は、粉体搬送装置に接続された粉体供給部ゲート６と容器部のゲート７を開くことにより粉体搬送経路に導入される。
【００３４】
粉体搬送経路８では、気体発生装置５の各々から粉体搬送装置２の気体透過部材２１と粉体搬送装置（ａ）３の内筒１４に気体を吹き込み、粉体搬送装置（ａ）３では粉体搬送経路８の粉体搬送方向にそって気流１６のバリアを形成させ、粉体搬送装置２では気体透過部材２１に供給された気体により、粉体搬送経路８の内壁と粉体との間に気流１６によるバリアが形成される。
【００３５】
気流によるバリアで、粉体１１は粉体搬送経路８の内壁に接触することなく容器４へ投入される。
【００３６】
粉体保管ホッパー１中の粉体１１が無くなった時点で粉体供給部ゲート６と容器部ゲート７を閉じ、搬送を終了する。
【００３７】
尚、容器中の液体１２は、投入される粉体を良好に溶解するため外部加熱装置により加熱、撹拌装置により撹拌されていてもよい。
【００３８】
加熱、撹拌により発生したベーパー１３は、揮発分回収装置１４により回収され、容器４に戻される。
【００３９】
図４は、本発明に用いられる粉体搬送装置の一例を示す概略図である。
【００４０】
図４において、３の（ａ）は気体吹き込み手段として内筒を用いた粉体搬送装置（ａ）、３の（ｂ）は気体吹き込み手段として枝管を用いた粉体搬送装置（ｂ）、２２は内筒、２３は枝管、１６は気流を示す。
【００４１】
粉体搬送装置（ａ）は、搬送経路の上部に内筒２２を設け、内筒と粉体搬送経路の間から粉体搬送経路の粉体搬送方向に気体を吹き込み、粉体搬送経路の壁面に沿って、搬送経路内の粉体搬送方向にそって気流１６のバリアを形成させる装置である。
【００４２】
粉体搬送装置（ｂ）は、搬送経路の上部に枝管２３を設け、枝管から粉体搬送経路の粉体搬送方向に気体を吹き込み、粉体搬送経路の壁面に沿って、搬送経路内の粉体搬送方向にそって気流１６のバリアを形成させる装置である。
【００４３】
本発明では、吹き込む気体の種類は、特に限定されず、具体的には空気や窒素ガスを用いることができる。
【００４４】
本発明では、粉体搬送経路で気流によるバリアを形成できる量の気体と風速が必要である。形成する気流のバリアの厚さは、特に限定されず、搬送する粉体の比重、粒径、量、流動性等により左右され、搬送する粉体により調整すればよい。
【００４５】
具体的には、粉体搬送装置の内径が１５０ｍｍの場合、エアー量は１ｍ3／分、気体流速は１〜２ｍ／秒が好適である。本発明は粉体搬送経路に気流によるバリアを形成できればこれに限定されるものではない。
【００４６】
本発明の粉体搬送装置は、トナー製造装置に粉体を搬送するときに好ましく用いることができる。
【図面の簡単な説明】
【００４７】
【図１】本発明の粉体搬送装置の一例を示す概略図である。
【図２】本発明の粉体搬送装置を用いて粉体供給ホッパーから粉体を容器に投入するラインの一例を示す概略図である。
【図３】多段式の粉体搬送装置を用いた粉体供給ホッパーから粉体を容器に投入するラインの一例を示す概略図である。
【図４】本発明に用いられる粉体搬送装置の一例を示す概略図である。
【符号の説明】
【００４８】
１  粉体供給ホッパー
２  粉体搬送装置
３  （ａ）粉体搬送装置（ａ）、
（ｂ）粉体搬送装置（ｂ）
４  容器
５  気体発生装置
６  粉体供給部ゲート
７  容器部のゲート
８  粉体搬送経路
９  粉体投入部
１０  揮発分排出、回収口
１１  粉体
１２  液体
１３  ベ−パー
１４  揮発分回収装置
１６  気流
２１  気体透過部材
２２  内筒
２３  枝管
【図１】
2007084203.tif 000003
【図２】
2007084203.tif 000004
【図３】
2007084203.tif 000005
【図４】
2007084203.tif 000006